(57)【要約】      （修正有）【課題】建築用中空部材の端部を開放することなく建築用中空部材への充填材の注入をスムーズに行うことができる建築用中空部材の充填材注入方法を提供する。【解決手段】建築用中空部材の充填材注入方法は、充填材注入口２ａと空気排出口２ｂとを有した長手形状の建築用中空部材２の充填材注入口２ａに充填材導入部材５を、空気排出口２ｂに空気排出部材６を、それぞれ接続して建築用中空部材２内を密閉状態とし、充填材注入口２ａは、空気排出口２ｂより長手形状の建築用中空部材２の一方の端部２Ａの側に近い位置にあり、空気排出口２ｂは、充填材注入口２ａより長手形状の建築用中空部材２の他方の端部２Ｂの側に近い位置にあり、空気排出口２ｂを介して長手形状の建築用中空部材２内の空気を排気しながら充填材注入口２ａを介して長手形状の建築用中空部材２内に充填材を注入して充填する。【選択図】図４
2009221787.tif 000002
【特許請求の範囲】
【請求項１】
充填材注入口と空気排出口とを有した長手形状の建築用中空部材の前記充填材注入口に充填材導入部材を、前記空気排出口に空気排出部材を、それぞれ接続して前記建築用中空部材内を密閉状態とし、
前記充填材注入口は、前記空気排出口より前記長手形状の建築用中空部材の一方の端部の側に近い位置にあり、前記空気排出口は、前記充填材注入口より前記長手形状の建築用中空部材の他方の端部の側に近い位置にあり、
前記空気排出口を介して前記長手形状の建築用中空部材内の空気を排気しながら前記充填材注入口を介して前記長手形状の建築用中空部材内に充填材を注入して充填する
ことを特徴とする建築用中空部材の充填材注入方法。
【請求項２】
長手形状の建築用中空部材には、前記長手形状の建築用中空部材の長手方向を横断すると共に、充填材が通過する穴を有する複数の補強部材が設けられ、
前記複数の補強部材の内、前記長手形状の建築用中空部材の一方の端部に一番近い側は第１の補強部材であり、前記複数の補強部材の内、前記長手形状の建築用中空部材の他方の端部に一番近い側は第２の補強部材であり、
前記第１の補強部材と前記長手形状の建築用中空部材の一方の端部とに臨む前記長手形状の建築用中空部材の室は入口側室であり、
前記第２の補強部材と前記長手形状の建築用中空部材の他方の端部とに臨む前記長手形状の建築用中空部材の室は出口側室であり、
この出口側室に前記空気排出口が、前記入口側室に前記充填材導入部材が、それぞれ連通している
ことを特徴とする請求項１記載の建築用中空部材の充填材注入方法。 
【請求項３】
第１の充填材注入口と第２の充填材注入口と空気排出口とを有した長手形状の建築用中空部材の前記第１の充填材注入口に第１の充填材導入部材を、前記第２の充填材注入口に第２の充填材導入部材を、前記空気排出口に空気排出部材を、それぞれ接続して前記建築用中空部材内を密閉状態とし、
前記第１の充填材注入口は、前記空気排出口および前記第２の充填材注入口より前記長手形状の建築用中空部材の一方の端部の側に近い位置にあり、
前記第２の充填材注入口は、前記空気排出口および前記第１の充填材注入口より前記長手形状の建築用中空部材の他方の端部の側に近い位置にあり、
前記建築用中空部材の前記空気排出口の部位は、前記建築用中空部材の前記第１の充填材注入口の部位と前記建築用中空部材の前記第２の充填材注入口の部位との略中央の位置にあり、
前記空気排出口を介して前記長手形状の建築用中空部材内の空気を排気しながら前記第１の充填材注入口および前記第２の充填材注入口を介して前記長手形状の建築用中空部材内に充填材を注入する
ことを特徴とする建築用中空部材の充填材注入方法。
【請求項４】
長手形状の建築用中空部材には、前記長手形状の建築用中空部材の長手方向を横断すると共に、充填材が通過する穴を有する複数の補強部材が設けられ、
前記複数の補強部材の内、前記長手形状の建築用中空部材の一方の端部に一番近い側は第１の補強部材であり、
前記複数の補強部材の内、前記長手形状の建築用中空部材の他方の端部に一番近い側は第２の補強部材であり、
前記第１の補強部材と前記長手形状の建築用中空部材の一方の端部とに臨む前記長手形状の建築用中空部材の室は第１の入口側室であり、
前記第２の補強部材と前記長手形状の建築用中空部材の他方の端部とに臨む前記長手形状の建築用中空部材の室は第２の入口側室であり、
前記長手形状の建築用中空部材の略中央に位置すると共に、前記複数の補強部材の内、前記長手形状の建築用中空部材の隣接する補強部材に臨む前記長手形状の建築用中空部材の室は出口側室であり、
この出口側室に空気排出口が、前記第１の入口側室に第１の充填材注入口が、前記第２の入口側室に第２の充填材注入口が、それぞれ連通している
ことを特徴とする請求項３記載の建築用中空部材の充填材注入方法。
【請求項５】
空気排出部材は、空気排出口と減圧用排気ポンプとを接続するものであり、
前記空気排出部材に前記空気排出口から溢出する充填材を貯留すると共に、外部から目視できる透明体の出口側予備室を設け、
この出口側予備室を長手形状の建築用中空部材に着脱自在に取り付け、
前記出口側予備室に前記充填材を導入する
ことを特徴とする請求項１〜４のいずれか１項に記載の建築用中空部材の充填材注入方法。
【請求項６】
長手形状の建築用中空部材は、梁、柱、上向きの弧状部材のいずれかである
ことを特徴とする請求項１〜５のいずれか１項に記載の建築用中空部材の充填材注入方法。
【請求項７】
建築用中空部材の空気排出口に連通するように取り付けられた空気排出部材と、
雄ネジを有した垂直部と、この垂直部より水平方向に設けられ、前記空気排出口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、
前記空気排出部材の端部にあって、外方に張り出すと共に、張り出す中途に前記垂直部を通す穴を有した張出部と、
この張出部の下面と前記建築用中空部材とにそれぞれ当接して、前記張出部の下面と前記建築用中空部材との間をシールするシール部材と、
前記張出部の上方にあって、前記雄ネジに螺合するナットとを備え、
少なくとも、前記断面略コ字状部材と前記ナットとをそれぞれ複数有して、
前記シール部材を介して前記張出部と前記下端部で、前記空気排出口の縁部を挟持する
ことを特徴とする請求項１〜５のいずれか１項に記載の建築用中空部材の充填材注入方法。
【請求項８】
建築用中空部材の充填材注入口に連通するように取り付けられた充填材導入部材と、
雄ネジを有した垂直部と、この垂直部より水平方向に設けられ、前記充填材注入口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、
前記充填材導入部材の端部にあって、外方に張り出すと共に、張り出す中途に前記垂直部を通す穴を有した張出部と、
この張出部の下面と前記建築用中空部材とにそれぞれ当接して、前記張出部の下面と前記建築用中空部材との間をシールするシール部材と、
前記張出部の上方にあって、前記雄ネジに螺合するナットとを備え、
少なくとも、前記断面略コ字状部材と前記ナットとをそれぞれ複数有して、
前記シール部材を介して前記張出部と前記下端部で、前記充填材注入口の縁部を挟持する
ことを特徴とする請求項１〜５のいずれか１項に記載の建築用中空部材の充填材注入方法。
【請求項９】
充填材注入口と空気排出口とを有した長手形状の建築用中空部材の前記充填材注入口に接続し、前記長手形状の建築用中空部材内への充填材を充填する充填手段と、
前記空気排出口に接続し、前記長手形状の建築用中空部材内を減圧する減圧手段と、
前記長手形状の建築用中空部材は、前記充填材注入口に前記充填手段を、前記空気排出口に前記減圧手段を、それぞれ接続した状態は、密閉状態に接続されるものであり、
前記空気排出口を介して前記長手形状の建築用中空部材内の空気を排気しながら前記充填材注入口を介して前記長手形状の建築用中空部材内に充填材を注入して充填する
ことを特徴とする建築用中空部材の充填材注入装置。
【請求項１０】
第１の充填材注入口と第２の充填材注入口と空気排出口とを有した長手形状の建築用中空部材の前記第１の充填材注入口と前記第２の充填材注入口に接続し、前記長手形状の建築用中空部材内への充填材を充填する充填手段と、
前記空気排出口に接続し、前記長手形状の建築用中空部材内を減圧する減圧手段と、
前記長手形状の建築用中空部材は、前記第１の充填材注入口と前記第２の充填材注入口に前記充填手段を、前記空気排出口に前記減圧手段を、それぞれ接続した状態は、密閉状態に接続されているものであり、
前記空気排出口を介して前記長手形状の建築用中空部材内の空気を排気しながら前記第１の充填材注入口と前記第２の充填材注入口を介して前記長手形状の建築用中空部材内に充填材を注入して充填する
ことを特徴とする建築用中空部材の充填材注入装置。
【請求項１１】
空気排出部材は、空気排出口と減圧用排気ポンプとを接続するものであり、
前記空気排出部材に前記空気排出口から溢出する充填材を貯留すると共に、外部から目視できる透明体の出口側予備室を設け、
この出口側予備室を長手形状の建築用中空部材に着脱自在に取り付け、
前記出口側予備室に前記充填材を導入する
ことを特徴とする９又は１０記載の建築用中空部材の充填材注入装置。
【請求項１２】
長手形状の建築用中空部材は、梁、柱、上向きの弧状部材のいずれかである
ことを特徴とする請求項９〜１１のいずれか１項に記載の建築用中空部材の充填材注入装置。
【請求項１３】
建築用中空部材の空気排出口に連通するように取り付けられた空気排出部材と、
雄ネジを有した垂直部と、この垂直部より水平方向に設けられ、前記空気排出口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、
前記空気排出部材の端部にあって、外方に張り出すと共に、張り出す中途に前記垂直部を通す穴を有した張出部と、
この張出部の下面と前記建築用中空部材とにそれぞれ当接して、前記張出部の下面と前記建築用中空部材との間をシールするシール部材と、
前記張出部の上方にあって、前記雄ネジに螺合するナットとを備え、
少なくとも、前記断面略コ字状部材と前記ナットとをそれぞれ複数有して、
前記シール部材を介して前記張出部と前記下端部で、前記空気排出口の縁部を挟持する
ことを特徴とする請求項９〜１１のいずれか１項に記載の建築用中空部材の充填材注入装置。
【請求項１４】
建築用中空部材の充填材注入口に連通するように取り付けられた充填材導入部材と、
雄ネジを有した垂直部と、この垂直部より水平方向に設けられ、前記充填材注入口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、
前記充填材導入部材の端部にあって、外方に張り出すと共に、張り出す中途に前記垂直部を通す穴を有した張出部と、
この張出部の下面と前記建築用中空部材とにそれぞれ当接して、前記張出部の下面と前記建築用中空部材との間をシールするシール部材と、
前記張出部の上方にあって、前記雄ネジに螺合するナットとを備え、
少なくとも、前記断面略コ字状部材と前記ナットとをそれぞれ複数有して、
前記シール部材を介して前記張出部と前記下端部で、前記充填材注入口の縁部を挟持する
ことを特徴とする請求項９〜１１のいずれか１項に記載の建築用中空部材の充填材注入装置。
【発明の詳細な説明】
【技術分野】
【０００１】
本発明は、建築用中空部材の充填材注入方法及び建築用中空部材の充填材注入装置に係り、特に、建築用中空部材の端部を開放することなく建築用中空部材への充填材の注入をスムーズに行うことができる建築用中空部材の充填材注入方法及び建築用中空部材の充填材注入装置に関する。
【０００２】
従来、例えば、垂直に立てられた鋼管の下端側の側面部のコンクリート圧入孔にコンクリート圧送管を接続し、コンクリートを鋼管内の下から上へと圧入して充填していく圧入充填工法がある（例えば、特許文献１参照）。
この圧入充填工法にあっては、コンクリートを鋼管内の下から上へと充填していく際  、鋼管の上端部が開放されているため、鋼管内の空気は鋼管の上端部から排出され、支障を生じない。
【特許文献１】特開２００６−１６８０５号公報
【発明の開示】
【発明が解決しようとする課題】
【０００３】
しかしながら、鋼管内のコンクリートの充てん後、鋼管の上端部を閉じる作業が必要で、作業性が良好でないという問題点があった。
【０００４】
本発明は、上記の問題点を除去するようにした建築用中空部材の充填材注入方法及び建築用中空部材の充填材注入装置を提供することを目的とする。
【課題を解決するための手段】
【０００５】
本発明の建築用中空部材の充填材注入方法は、充填材注入口と空気排出口とを有した長手形状の建築用中空部材の前記充填材注入口に充填材導入部材を、前記空気排出口に空気排出部材を、それぞれ接続して前記建築用中空部材内を密閉状態とし、前記充填材注入口は、前記空気排出口より前記長手形状の建築用中空部材の一方の端部の側に近い位置にあり、前記空気排出口は、前記充填材注入口より前記長手形状の建築用中空部材の他方の端部の側に近い位置にあり、前記空気排出口を介して前記長手形状の建築用中空部材内の空気を排気しながら前記充填材注入口を介して前記長手形状の建築用中空部材内に充填材を注入して充填するものである。
【０００６】
また、請求項２記載の建築用中空部材の充填材注入方法は、請求項１記載の建築用中空部材の充填材注入方法において、長手形状の建築用中空部材には、前記長手形状の建築用中空部材の長手方向を横断すると共に、充填材が通過する穴を有する複数の補強部材が設けられ、前記複数の補強部材の内、前記長手形状の建築用中空部材の一方の端部に一番近い側は第１の補強部材であり、前記複数の補強部材の内、前記長手形状の建築用中空部材の他方の端部に一番近い側は第２の補強部材であり、前記第１の補強部材と前記長手形状の建築用中空部材の一方の端部とに臨む前記長手形状の建築用中空部材の室は入口側室であり、前記第２の補強部材と前記長手形状の建築用中空部材の他方の端部とに臨む前記長手形状の建築用中空部材の室は出口側室であり、この出口側室に前記空気排出口が、前記入口側室に前記充填材導入部材が、それぞれ連通しているものである。
【０００７】
また、請求項３記載の建築用中空部材の充填材注入方法は、第１の充填材注入口と第２の充填材注入口と空気排出口とを有した長手形状の建築用中空部材の前記第１の充填材注入口に第１の充填材導入部材を、前記第２の充填材注入口に第２の充填材導入部材を、前記空気排出口に空気排出部材を、それぞれ接続して前記建築用中空部材内を密閉状態とし、前記第１の充填材注入口は、前記空気排出口および前記第２の充填材注入口より前記長手形状の建築用中空部材の一方の端部の側に近い位置にあり、前記第２の充填材注入口は、前記空気排出口および前記第１の充填材注入口より前記長手形状の建築用中空部材の他方の端部の側に近い位置にあり、前記建築用中空部材の前記空気排出口の部位は、前記建築用中空部材の前記第１の充填材注入口の部位と前記建築用中空部材の前記第２の充填材注入口の部位との略中央の位置にあり、前記空気排出口を介して前記長手形状の建築用中空部材内の空気を排気しながら前記第１の充填材注入口および前記第２の充填材注入口を介して前記長手形状の建築用中空部材内に充填材を注入するものである。
【０００８】
また、請求項４記載の建築用中空部材の充填材注入方法は、請求項３記載の建築用中空部材の充填材注入方法において、長手形状の建築用中空部材には、前記長手形状の建築用中空部材の長手方向を横断すると共に、充填材が通過する穴を有する複数の補強部材が設けられ、前記複数の補強部材の内、前記長手形状の建築用中空部材の一方の端部に一番近い側は第１の補強部材であり、前記複数の補強部材の内、前記長手形状の建築用中空部材の他方の端部に一番近い側は第２の補強部材であり、前記第１の補強部材と前記長手形状の建築用中空部材の一方の端部とに臨む前記長手形状の建築用中空部材の室は第１の入口側室であり、前記第２の補強部材と前記長手形状の建築用中空部材の他方の端部とに臨む前記長手形状の建築用中空部材の室は第２の入口側室であり、前記長手形状の建築用中空部材の略中央に位置すると共に、前記複数の補強部材の内、前記長手形状の建築用中空部材の隣接する補強部材に臨む前記長手形状の建築用中空部材の室は出口側室であり、この出口側室に空気排出口が、前記第１の入口側室に第１の充填材注入口が、前記第２の入口側室に第２の充填材注入口が、それぞれ連通しているものである。
【０００９】
また、請求項５記載の建築用中空部材の充填材注入方法は、請求項１〜４のいずれか１項に記載の建築用中空部材の充填材注入方法において、空気排出部材は、空気排出口と減圧用排気ポンプとを接続するものであり、前記空気排出部材に前記空気排出口から溢出する充填材を貯留すると共に、外部から目視できる透明体の出口側予備室を設け、この出口側予備室を長手形状の建築用中空部材に着脱自在に取り付け、前記出口側予備室に前記充填材を導入するものである。
【００１０】
また、請求項６記載の建築用中空部材の充填材注入方法は、請求項１〜５のいずれか１項に記載の建築用中空部材の充填材注入方法において、長手形状の建築用中空部材は、梁、柱、上向きの弧状部材のいずれかである。
【００１１】
また、請求項７記載の建築用中空部材の充填材注入方法は、請求項１〜５のいずれか１項に記載の建築用中空部材の充填材注入方法法において、建築用中空部材の空気排出口に連通するように取り付けられた空気排出部材と、雄ネジを有した垂直部と、この垂直部より水平方向に設けられ、前記空気排出口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、前記空気排出部材の端部にあって、外方に張り出すと共に、張り出す中途に前記垂直部を通す穴を有した張出部と、この張出部の下面と前記建築用中空部材とにそれぞれ当接して、前記張出部の下面と前記建築用中空部材との間をシールするシール部材と、前記張出部の上方にあって、前記雄ネジに螺合するナットとを備え、少なくとも、前記断面略コ字状部材と前記ナットとをそれぞれ複数有して、前記シール部材を介して前記張出部と前記下端部で、前記空気排出口の縁部を挟持するものである。
【００１２】
また、請求項８記載の建築用中空部材の充填材注入方法は、請求項１〜５のいずれか１項に記載の建築用中空部材の充填材注入方法において、建築用中空部材の充填材注入口に連通するように取り付けられた充填材導入部材と、雄ネジを有した垂直部と、この垂直部より水平方向に設けられ、前記充填材注入口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、前記充填材導入部材の端部にあって、外方に張り出すと共に、張り出す中途に前記垂直部を通す穴を有した張出部と、この張出部の下面と前記建築用中空部材とにそれぞれ当接して、前記張出部の下面と前記建築用中空部材との間をシールするシール部材と、前記張出部の上方にあって、前記雄ネジに螺合するナットとを備え、少なくとも、前記断面略コ字状部材と前記ナットとをそれぞれ複数有して、前記シール部材を介して前記張出部と前記下端部で、前記充填材注入口の縁部を挟持するものである。
【００１３】
また、請求項９記載の建築用中空部材の充填材注入装置は、充填材注入口と空気排出口とを有した長手形状の建築用中空部材の前記充填材注入口に接続し、前記長手形状の建築用中空部材内への充填材を充填する充填手段と、前記空気排出口に接続し、前記長手形状の建築用中空部材内を減圧する減圧手段と、前記長手形状の建築用中空部材は、前記充填材注入口に前記充填手段を、前記空気排出口に前記減圧手段を、それぞれ接続した状態は、密閉状態に接続されるものであり、前記空気排出口を介して前記長手形状の建築用中空部材内の空気を排気しながら前記充填材注入口を介して前記長手形状の建築用中空部材内に充填材を注入して充填するものである。
【００１４】
また、請求項１０記載の建築用中空部材の充填材注入装置は、第１の充填材注入口と第２の充填材注入口と空気排出口とを有した長手形状の建築用中空部材の前記第１の充填材注入口と前記第２の充填材注入口に接続し、前記長手形状の建築用中空部材内への充填材を充填する充填手段と、前記空気排出口に接続し、前記長手形状の建築用中空部材内を減圧する減圧手段と、前記長手形状の建築用中空部材は、前記第１の充填材注入口と前記第２の充填材注入口に前記充填手段を、前記空気排出口に前記減圧手段を、それぞれ接続した状態は、密閉状態に接続されているものであり、前記空気排出口を介して前記長手形状の建築用中空部材内の空気を排気しながら前記第１の充填材注入口と前記第２の充填材注入口を介して前記長手形状の建築用中空部材内に充填材を注入して充填するものである。
【００１５】
また、請求項１１記載の建築用中空部材の充填材注入装置は、請求項９又は１０記載の建築用中空部材の充填材注入装置において、空気排出部材は、空気排出口と減圧用排気ポンプとを接続するものであり、前記空気排出部材に前記空気排出口から溢出する充填材を貯留すると共に、外部から目視できる透明体の出口側予備室を設け、この出口側予備室を長手形状の建築用中空部材に着脱自在に取り付け、前記出口側予備室に前記充填材を導入するものである。
【００１６】
また、請求項１２記載の建築用中空部材の充填材注入装置は、請求項９〜１１のいずれか１項に記載の建築用中空部材の充填材注入装置において、長手形状の建築用中空部材は、梁、柱、上向きの弧状部材のいずれかである。
【００１７】
また、請求項１３記載の建築用中空部材の充填材注入装置は、請求項９〜１１のいずれか１項に記載の建築用中空部材の充填材注入装置において、建築用中空部材の空気排出口に連通するように取り付けられた空気排出部材と、雄ネジを有した垂直部と、この垂直部より水平方向に設けられ、前記空気排出口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、前記空気排出部材の端部にあって、外方に張り出すと共に、張り出す中途に前記垂直部を通す穴を有した張出部と、この張出部の下面と前記建築用中空部材とにそれぞれ当接して、前記張出部の下面と前記建築用中空部材との間をシールするシール部材と、前記張出部の上方にあって、前記雄ネジに螺合するナットとを備え、少なくとも、前記断面略コ字状部材と前記ナットとをそれぞれ複数有して、前記シール部材を介して前記張出部と前記下端部で、前記空気排出口の縁部を挟持するものである。
【００１８】
また、請求項１４記載の建築用中空部材の充填材注入装置は、請求項９〜１１のいずれか１項に記載の建築用中空部材の充填材注入装置において、建築用中空部材の充填材注入口に連通するように取り付けられた充填材導入部材と、雄ネジを有した垂直部と、この垂直部より水平方向に設けられ、前記充填材注入口の縁部に係止する下端部と、前記垂直部より水平方向に設けられ、前記建築用中空部材の外に位置する上端部とを有し、この上端部、前記垂直部及び前記下端部でなす断面形状が略コ字状である断面略コ字状部材と、前記充填材導入部材の端部にあって、外方に張り出すと共に、張り出す中途に前記垂直部を通す穴を有した張出部と、この張出部の下面と前記建築用中空部材とにそれぞれ当接して、前記張出部の下面と前記建築用中空部材との間をシールするシール部材と、前記張出部の上方にあって、前記雄ネジに螺合するナットとを備え、少なくとも、前記断面略コ字状部材と前記ナットとをそれぞれ複数有して、前記シール部材を介して前記張出部と前記下端部で、前記充填材注入口の縁部を挟持するものである。
【発明の効果】
【００１９】
請求項１記載の建築用中空部材の充填材注入方法によれば、充填材注入口と空気排出口とを有した長手形状の建築用中空部材の前記充填材注入口に充填材導入部材を、前記空気排出口に空気排出部材を、それぞれ接続して前記建築用中空部材内を密閉状態とし、前記空気排出口を介して前記長手形状の建築用中空部材内の空気を排気しながら前記充填材注入口を介して前記長手形状の建築用中空部材内に充填材を注入して充填するため、建築用中空部材内の空気を強制的に建築用中空部材の外へと排出するため、建築用中空部材の端部を開放することなく、しかも、建築用中空部材内の空気が減圧されることによって建築用中空部材内をある一定の減圧状況をつくり、建築用中空部材内での充填材の流動性を高め、長手形状の建築用中空部材内に充填材が充填され易く作業性が改善されると共に、建築用中空部材内の空気の滞留をも防止することができる。
【００２０】
また、請求項２記載の建築用中空部材の充填材注入方法によれば、建築用中空部材内をある一定の減圧状況をつくるため、「長手形状の建築用中空部材に、該長手形状の建築用中空部材の長手方向を横断すると共に、充填材が通過する穴を有する複数の補強部材が設けられたもの」にあっては、特に有効である。
【００２１】
また、請求項３記載の建築用中空部材の充填材注入方法によれば、注入口が、第１の充填材注入口、第２の充填材注入口と二箇所、空気排出口が第１の充填材注入口と第２の充填材注入口との略中央に位置しているため、「長手形状の建築用中空部材が、平面視、長手方向に長い長手形状の建築用中空部材」にあっては、特に有効である。
【００２２】
また、請求項４記載の建築用中空部材の充填材注入方法によれば、注入口が、第１の充填材注入口、第２の充填材注入口と二箇所、空気排出口が第１の充填材注入口と第２の充填材注入口との略中央に位置しているため、「長手形状の建築用中空部材が、平面視、長手方向に長い長手形状の建築用中空部材にあって、充填材が通過する穴を有する複数の補強部材を内在した建築用中空部材」には、特に有効である。
【００２３】
また、請求項５記載の建築用中空部材の充填材注入方法によれば、前述した請求項１〜４記載の発明の効果に加え、外部から目視できる透明体の出口側予備室に充填材を導入することにより、建築用中空部材内に充填材が注入されていることを外部から確認することができ、確認後、出口側予備室を建築用中空部材から取り外すことができる。
【００２４】
また、請求項７記載の建築用中空部材の充填材注入方法によれば、少なくとも、断面略コ字状部材とナットとをそれぞれ複数有して、シール部材を介して張出部と下端部で、空気排出口の縁部を挟持するため、建築用中空部材に付属物を付けなくても、また、建築用中空部材にネジ等を付けなくても、空気排出部材の取付、取り外しができ、しかも、シール部材によりシールをも確保することができる。
【００２５】
また、請求項８記載の建築用中空部材の充填材注入方法によれば、少なくとも、断面略コ字状部材とナットとをそれぞれ複数有して、シール部材を介して張出部と下端部で、充填材注入口の縁部を挟持するため、建築用中空部材に付属物を付けなくても、また、建築用中空部材にネジ等を付けなくても、充填材導入部材の取付、取り外しができ、しかも、シール部材によりシールをも確保することができる。
【００２６】
また、請求項９記載の建築用中空部材の充填材注入装置によれば、充填材注入口と空気排出口とを有した長手形状の建築用中空部材の前記充填材注入口に充填手段を、前記空気排出口に減圧手段を、それぞれ接続して前記建築用中空部材内を密閉状態とし、前記空気排出口を介して前記長手形状の建築用中空部材内の空気を排気しながら前記充填材注入口を介して前記長手形状の建築用中空部材内に充填材を注入して充填するため、建築用中空部材内の空気を強制的に建築用中空部材の外へと排出するため、建築用中空部材の端部を開放することなく、しかも、建築用中空部材内の空気が減圧されることによって建築用中空部材内をある一定の減圧状況をつくり、建築用中空部材内での充填材の流動性を高め、長手形状の建築用中空部材内に充填材が充填され易く作業性が改善されると共に、建築用中空部材内の空気の滞留をも防止することができる。
【００２７】
また、請求項１０記載の建築用中空部材の充填材注入装置によれば、建築用中空部材内をある一定の減圧状況をつくるため、「長手形状の建築用中空部材に、該長手形状の建築用中空部材の長手方向を横断すると共に、充填材が通過する穴を有する複数の補強部材が設けられたもの」にあっては、特に有効である。
【００２８】
また、請求項１１記載の建築用中空部材の充填材注入装置によれば、前述した請求項９又は１０記載の発明の効果に加え、外部から目視できる透明体の出口側予備室に充填材を導入することにより、建築用中空部材内に充填材が注入されていることを外部から確認することができ、確認後、出口側予備室を建築用中空部材から取り外すことができる。
【００２９】
また、請求項１３記載の建築用中空部材の充填材注入装置によれば、少なくとも、断面略コ字状部材とナットとをそれぞれ複数有して、シール部材を介して張出部と下端部で、空気排出口の縁部を挟持するため、建築用中空部材に付属物を付けなくても、また、建築用中空部材にネジ等を付けなくても、空気排出部材の取付、取り外しができ、しかも、シール部材によりシールをも確保することができる。
【００３０】
また、請求項１４記載の建築用中空部材の充填材注入装置によれば、少なくとも、断面略コ字状部材とナットとをそれぞれ複数有して、シール部材を介して張出部と下端部で、充填材注入口の縁部を挟持するため、建築用中空部材に付属物を付けなくても、また、建築用中空部材にネジ等を付けなくても、充填材導入部材の取付、取り外しができ、しかも、シール部材によりシールをも確保することができる。
【発明を実施するための最良の形態】
【００３１】
本発明の建築用中空部材の充填材注入方法及び建築用中空部材の充填材注入装置の一実施例について図面を参照して説明する。
[実施例１（図１乃至図９参照）]
図１は、本発明の一実施例の建築用中空部材の充填材注入方法の適用対象である建物構造物Ｃの概略的斜視図で、建物構造物Ｃは、垂直方向に延びる複数の柱１と、この柱１に対して、直角方向、つまり、水平方向に延びる複数の梁２とから概略的に構成されている（図１乃至図９参照）。
【００３２】
梁２は、例えば、長手形状の建築用中空部材で、長手形状の建築用中空部材２には、長手形状の建築用中空部材２の長手方向を横断すると共に、充填材３（図８及び図９参照）が通過する穴４ａを有する複数の補強部材４（有孔ダイヤフラム）が設けられている。なお、図２に示す４ｂは、梁２内部に配置される鉄筋（図示せず）を通す穴であり、また、図９に示すように、長手形状の建築用中空部材２に充填材３が充填されるのは、充填された充填材３により長手形状の建築用中空部材２の変形が規制され、揺れの少ない建物構造物Ｃ（図１参照）が得られるからである。
なお、上述した長手形状の建築用中空部材２は、例えば、断面が角である角形鋼管、断面が円である円形鋼管等であり、充填材３は、例えば、コンクリート、モルタル、樹脂等である。
【００３３】
また、長手形状の建築用中空部材２には、長手形状の建築用中空部材２の上面に充填材注入口２ａ及び空気排出口２ｂが、長手形状の建築用中空部材２の上面及び底面を除く側面に補強部材挿入孔２ｃ、長孔２ｄとが、それぞれ設けられている。充填材注入口２ａ及び空気排出口２ｂは、柱１に溶接されたＵ字状部材１０と長手形状の建築用中空部材２とを接合するボルト１０ａ’を手で挿入する穴を兼用するものであり、図２記載の２ａ’は、長手形状の建築用中空部材２に取り付けられるボルト１０ａ’（図３）を通す穴であり、ボルト１０ａ’により、長手形状の建築用中空部材２は、柱１に固定される。
また、上記の補強部材挿入孔２ｃを介して補強部材４が長手形状の建築用中空部材２内に挿入され（図２参照）、挿入後、補強部材挿入孔２ｃ、長孔２ｄを介して溶接により補強部材４は長手形状の建築用中空部材２に固着される（図３参照）。
なお、本実施例の「建築用中空部材２（又は、後述する図１１記載の上向きの弧（アーチ）状部材である「建築用中空部材２’」、図１２記載の「柱１」にあっては、内部に補強部材４を設けたものについて説明しているが、
本願発明にあっては、これに限らず、例えば、建築用中空部材２（又は、「建築用中空部材２’」、又は、「図１２記載の柱１」）の内部に補強部材４を設けないものにも、同様に適用できるものである。
【００３４】
建築用中空部材２は、図４に示すように、一方の端部を部材２Ａにより、他方の端部を部材２Ｂにより閉じられている。充填材注入口２ａは、空気排出口２ｂより長手形状の建築用中空部材２の一方の端部（部材２Ａ）の側に近い位置にあり、空気排出口２ｂは、充填材注入口２ａより長手形状の建築用中空部材２の他方の端部（部材２Ｂ）の側に近い位置にある。
詳述すれば、図４に示すように、複数の補強部材４の内、長手形状の建築用中空部材２の一方の端部（部材２Ａ）に一番近い側は第１の補強部材４Ａであり、複数の補強部材４の内、長手形状の建築用中空部材２の他方の端部（部材２Ｂ）に一番近い側は第２の補強部材４Ｂであり、第１の補強部材４Ａと長手形状の建築用中空部材２の一方の端部（部材２Ａ）とに臨む長手形状の建築用中空部材２の室は入口側室Ａであり、第２の補強部材４Ｂと長手形状の建築用中空部材２の他方の端部（部材２Ｂ）とに臨む長手形状の建築用中空部材の室は出口側室Ｂである。
そして、充填材注入口２ａに充填材導入部材５を、空気排出口２ｂに空気排出部材６を、それぞれ接続して建築用中空部材２内を密閉状態とし、ミキサー車８及び減圧用排気ポンプ９を作動させることにより、空気排出口２ｂを介して長手形状の建築用中空部材２内の空気を排気しながら建築用中空部材２内を減圧して、充填材注入口２ａを介して長手形状の建築用中空部材２内に充填材３を注入して充填することができる（図４乃至図９参照）。
従って、上記の建築用中空部材の充填材注入方法によれば、建築用中空部材２の内部は、減圧室２Ｘ（図４及び図８）が形成され、建築用中空部材２内の空気が減圧される分、長手形状の建築用中空部材２内の充填材３の流動性が高まり、充填材３が充填され易く、作業性が改善されると共に、残留エアーの強制除去により建築用中空部材２内の空気の滞留をも防止することができる。
なお、本実施例の「建築用中空部材の充填材注入方法」は、本実施例のような「内部に複数の補強部材４を有すると共に、水平方向に設置される梁２」には、特に、有効である。
【００３５】
上記の空気排出部材６は、図４に示すように、長手形状の建築用中空部材２の空気排出口２ｂと減圧用排気ポンプ９とを接続するものであり、また、図６に示す６Ａは、空気排出部材６に設けられ、空気排出口２ｂから溢出する充填材３を貯留すると共に、外部から目視できる透明体の出口側予備室である。透明体の出口側予備室６Ａは、例えば、透明なアクリル板で形成することができる。
従って、出口側予備室６Ａ内に充填材３が注入されていることを外部から確認することができ、確認後、出口側予備室６Ａを建築用中空部材２から取り外すことができる。
【００３６】
出口側予備室６Ａの長手形状の建築用中空部材２への脱着は、例えば、図６及び図７に示す一対の断面略コ字状部材（取り付け金具）２０、２０を用いて行うことができると共に、出口側予備室６Ａの長手形状の建築用中空部材２への取り付け、取り外しに伴う建築用中空部材２へ傷が付くのを防止することができる（なお、後述する図１０乃至図１２記載の出口側予備室６Ａも、一対の断面略コ字状部材２０、２０を用いて建築用中空部材２に着脱自在に取り付けられている。）。
即ち、一対の断面略コ字状部材（取り付け金具）２０、２０は、図６に示すように、雄ネジを有した垂直部２０ａ、２０ａと、この垂直部２０ａ、２０ａより水平方向に設けられ、空気排出口２ｂの縁部に係止する下端部２０ｂ、２０ｂと、垂直部２０ａ、２０ａより水平方向に設けられ、建築用中空部材２の外に位置する上端部２０ｄ、２０ｄとを有し、この上端部２０ｄ、２０ｄ、垂直部２０ａ、２０ａ及び下端部２０ｂ、２０ｂでなす断面形状が略コ字状となっている。
また、図６に示す６Ａ１は、空気排出部材６の端部、つまり、出口側予備室６Ａにあって、外方に張り出すと共に、張り出す中途に垂直部２０ａ、２０ａを通す穴６Ａ２、６Ａ２を有した張出部である。
また、図６に示す２１は、張出部６Ａ１の下面と建築用中空部材２とにそれぞれ当接して、張出部６Ａ１の下面と建築用中空部材２との間をシールするシール部材（例えば、ゴム等の弾性部材）である。
また、図６に示す２０ｃは、張出部６Ａ１の上方にあって、垂直部２０ａ、２０ａに形成された雄ネジに螺合するナットであり、少なくとも、断面略コ字状部材２０、２０とナット２０ｃ、２０ｃとをそれぞれ複数（本実施例では、断面略コ字状部材２０は、図６及び図７記載のように、例えば、２個）有して、シール部材２１を介して張出部６Ａ１と下端部２０ｂ、２０ｂで、空気排出口２ｂの縁部を挟持して、空気排出部材６を長手形状の建築用中空部材２に取り付けることができる。
取り外しは、ナット２０ｃ、２０ｃを緩め、断面略コ字状部材２０を図７に示す矢印に回動させて、下端部２０ｂ、２０ｂと長手形状の建築用中空部材２の空気排出口２ｂの縁部との係止状態を解除して行うことができる。
なお、ナット２０ｃ、２０ｃと張出部６Ａ１との間に、図示しないシール部材（例えば、ゴム等の弾性部材又はグリース等）を介在させることが望ましい。
【００３７】
また、図５に示す５Ａは、充填材導入部材５に設けられ、充填材３を長手形状の建築用中空部材２内に導入する入口側予備室である。この入口側予備室５Ａは、上記と同様の一対の断面略コ字状部材（取り付け金具）２０、２０を用いて建築用中空部材２に着脱自在に取り付けることができる（なお、後述する図１０乃至図１２記載の入口側予備室５Ａも、一対の断面略コ字状部材２０、２０を用いて建築用中空部材２に着脱自在に取り付けられている。）。
即ち、一対の断面略コ字状部材（取り付け金具）２０、２０は、図５に示すように、雄ネジを有した垂直部２０ａ、２０ａと、この垂直部２０ａ、２０ａより水平方向に設けられ、充填材注入口２ａの縁部に係止する下端部２０ｂ、２０ｂと、垂直部２０ａ、２０ａより水平方向に設けられ、建築用中空部材２の外に位置する上端部２０ｄ、２０ｄとを有し、この上端部２０ｄ、２０ｄ、垂直部２０ａ、２０ａ及び下端部２０ｂ、２０ｂでなす断面形状が略コ字状となっている。
また、図５に示す５Ａ１は、充填材導入部材５の端部、つまり、入口側予備室５Ａにあって、外方に張り出すと共に、張り出す中途に垂直部２０ａ、２０ａを通す穴５Ａ２、５Ａ２を有した張出部である。
また、図５に示す２１は、張出部６Ａ１の下面と建築用中空部材２とにそれぞれ当接して、張出部５Ａ１の下面と建築用中空部材２との間をシールするシール部材（例えば、ゴム等の弾性部材）である。
また、図５に示す２０ｃは、張出部５Ａ１の上方にあって、垂直部２０ａ、２０ａに形成された雄ネジに螺合するナットであり、少なくとも、断面略コ字状部材２０、２０とナット２０ｃ、２０ｃとをそれぞれ複数（本実施例では、断面略コ字状部材２０は、例えば、図５記載のように、２個）有して、シール部材２１を介して張出部５Ａ１と下端部２０ｂ、２０ｂで、充填材注入口２ａの縁部を挟持して、充填材導入部材５を長手形状の建築用中空部材２に取り付けることができる。    
取り外しは、ナット２０ｃ、２０ｃを緩め、断面略コ字状部材２０を回動させて、下端部２０ｂ、２０ｂと長手形状の建築用中空部材２の充填材注入口２ａの縁部との係止状態を解除して行うことができる。
なお、ナット２０ｃ、２０ｃと張出部５Ａ１との間に、図示しないシール部材（例えば、ゴム等の弾性部材又はグリース等）を介在させることが望ましい。
【００３８】
なお、図４に示すＦは、建築用中空部材の充填材注入装置で、建築用中空部材の充填材注入装置Ｆは、充填材注入口２ａと空気排出口２ｂとを有した長手形状の建築用中空部材２の充填材注入口２ａに接続し、長手形状の建築用中空部材２内への充填材３を充填する充填手段と、空気排出口２ｂに接続し、長手形状の建築用中空部材２内を減圧する減圧手段と、を有している。
上記の充填手段は、例えば、ミキサー車８からの充填材３を充填材注入口２ａに案内する充填材導入部材（又は充填材案内部材）５であり、減圧手段は、例えば、空気排出口２ｂからの空気を減圧用排気ポンプ９に案内する空気排出部材（又は空気案内部材）６である。
【００３９】
[実施例２（図１０参照）]
なお、本願発明の「建築用中空部材の充填材注入方法及び建築用中空部材の充填材注入装置Ｆ」の「建築用中空部材２」は、充填材注入口２ａ、空気排出口２ｂと、それぞれ、1箇所であったが、本願発明にあっては、これに限らず、例えば、図１０記載のように、充填材注入口を充填材注入口２ａ”と充填材注入口２ａ’”との２箇所、空気排出口２ｂを1箇所としても良い。
即ち、第１の充填材注入口２ａ”と第２の充填材注入口２ａ’”と空気排出口２ｂとを有した長手形状の建築用中空部材２の第１の充填材注入口２ａ”に第１の充填材導入部材５’を、第２の充填材注入口２ａ’”に第２の充填材導入部材５”を、空気排出口２ｂに空気排出部材６を、それぞれ接続して建築用中空部材２内を密閉状態とする。
第１の充填材注入口２ａ”は、空気排出口２ｂおよび第２の充填材注入口２ａ’”より長手形状の建築用中空部材２の一方の端部（部材２Ａ）の側に近い位置にあり、第２の充填材注入口２ａ’”は、空気排出口２ｂおよび第１の充填材注入口２ａ”より長手形状の建築用中空部材２の他方の端部（部材２Ｂ）の側に近い位置にある。
好ましくは、空気排出口２ｂを長手形状の建築用中空部材２の略中央に位置する出口側室Ｄに臨むように設け（出口側室Ｄは、長手形状の建築用中空部材２の略中央に位置すると共に、複数の補強部材４の内、長手形状の建築用中空部材２の隣接する補強部材４に臨む長手形状の建築用中空部材２の室である。）、第１の補強部材４Ａと長手形状の建築用中空部材２の一方の端部（部材２Ａ）とに臨む長手形状の建築用中空部材２の室を第１の入口側室Ａ、第２の補強部材４Ｂと長手形状の建築用中空部材２の他方の端部（部材２Ｂ）とに臨む長手形状の建築用中空部材２の室を第２の入口側室Ｂ’とし、第１の入口側室Ａに第１の充填材注入口２ａ”が、第２の入口側室Ｂ’に第２の充填材注入口２ａ’”が、それぞれ連通するようにする。
なお、複数の補強部材４の内、長手形状の建築用中空部材２の一方の端部（部材２Ａ）に一番近い側は第１の補強部材４Ａであり、複数の補強部材４の内、長手形状の建築用中空部材２の他方の端部（部材２Ｂ）に一番近い側は第２の補強部材４Ｂである。
この実施例においても、上述の実施例と同様に、空気排出口２ｂを介して長手形状の建築用中空部材２内の空気を排気しながら、つまり、建築用中空部材２内の空気が減圧されることによって建築用中空部材２内をある一定の減圧状況をつくり、第１の充填材注入口２ａ”および第２の充填材注入口２ａ’”を介して長手形状の建築用中空部材２内に上述の実施例と同様の充填材３を注入することができる。
【００４０】
[実施例３（図１１参照）]
なお、本願発明の「建築用中空部材の充填材注入方法及び建築用中空部材の充填材注入装置Ｆ」の対象である「建築用中空部材２」は、上述記載の梁２に限らず、例えば、図示しない橋等に使われる上向きの弧（アーチ）状部材（図１１参照）である「建築用中空部材２’」にも同様に適用でき、図１０記載の梁２が直線状であり、図１１記載のものが上向きの弧（アーチ）状部材である点を除けば、同じであるため、図１１に図１０記載と同一部分に同一符号を付して、その説明を省略する。
【００４１】
[実施例４（図１２参照）]
また、本願発明の「建築用中空部材の充填材注入方法及び建築用中空部材の充填材注入装置Ｆ」の対象である「建築用中空部材」は、上述の図１乃至図９記載の梁２に限らず、例えば、図１２記載の柱１である「建築用中空部材１」にも同様に適用でき、図１乃至図９記載の梁２が水平方向に直線状である点を除けば、同じであるため、図１２に、図１乃至図９記載と同一部分に同一符号を付して、その説明を省略する。
【図面の簡単な説明】
【００４２】
【図１】図１は、本発明の一実施例の建築用中空部材の充填材注入方法の適用対象である建物構造の概略的斜視図である。
【図２】図２は、図１の一部の梁に補強部材が挿入される状態の概略的斜視図である。
【図３】図３は、図２の梁に補強部材が固着され、該梁に充填部材が充填される前の状態の概略的斜視図である。
【図４】図４は、図３の状態の概略的断面図である。
【図５】図５は、図４の一部を拡大した概略的一部拡大断面図である。
【図６】図６は、図４の一部を拡大した概略的一部拡大断面図である。
【図７】図７は、図６のＺ方向から見た概略図である。
【図８】図８は、図４の建築用中空部材に充填部材が充填される状態の概略的断面図である。
【図９】図９は、図４の建築用中空部材に充填部材が充填された状態の概略的断面図である。
【図１０】図１０は、図４記載の充填方法と異なる他の充填方法を示す概略的断面図である。
【図１１】図１１は、図１０記載の充填方法と異なる他の充填方法を示す概略的断面図である。
【図１２】図１２は、図１１記載の充填方法と異なる他の充填方法を示す概略的断面図である。
【符号の説明】
【００４３】
２        長手形状の建築用中空部材
２Ａ      一方の端部
２Ｂ      他方の端部
２ａ      充填材注入口
２ｂ      空気排出口
３        充填材
【図１】
2009221787.tif 000003
【図２】
2009221787.tif 000004
【図３】
2009221787.tif 000005
【図４】
2009221787.tif 000006
【図５】
2009221787.tif 000007
【図６】
2009221787.tif 000008
【図７】
2009221787.tif 000009
【図８】
2009221787.tif 000010
【図９】
2009221787.tif 000011
【図１０】
2009221787.tif 000012
【図１１】
2009221787.tif 000013
【図１２】
2009221787.tif 000014